(57)【要約】【課題】  蓄熱式ガス処理装置における各蓄熱室に収容された各蓄熱体を加熱させる場合に、各蓄熱体の各部分における温度を適切に検知して、各蓄熱室に収容された各蓄熱体の上部側の各部分の温度を一定の温度に制御できるようにする。【解決手段】  蓄熱体31aを収容させた蓄熱室31を２室以上設けた蓄熱式ガス処理装置30の上部側の燃焼室32に、複数のバーナー33が面状に配列された面状配列バーナーを設け、面状配列バーナーにより各蓄熱室に収容された各蓄熱体を加熱させるにあたり、各蓄熱体の上面部の温度を検知する放射温度計35を設けると共に、放射温度計により検知された各蓄熱体の上面部の温度に対応させて、燃焼制御装置34により各バーナーの燃焼を制御して、各蓄熱体の上面部の温度を調整する。【選択図】  図１
2020008266.tif 000002
【特許請求の範囲】
【請求項１】
蓄熱体を収容させた蓄熱室が２室以上設けられた蓄熱式ガス処理装置における各蓄熱室の上部側の燃焼室に、複数のバーナーが面状に配列された面状配列バーナーを設け、前記の面状配列バーナーにより各蓄熱室に収容された各蓄熱体を加熱させるにあたり、各蓄熱体の上面部の温度を検知する放射温度計を設けたことを特徴とする蓄熱式ガス処理装置における蓄熱体の加熱状態検知装置。
【請求項２】
請求項１に記載の蓄熱式ガス処理装置における蓄熱体の加熱状態検知装置において、前記の放射温度計により検知された各蓄熱体の上面部の温度に対応させて、面状に配列された各バーナーの燃焼を制御する燃焼制御装置を設けたことを特徴とする蓄熱式ガス処理装置における蓄熱体の加熱状態検知装置。
【発明の詳細な説明】
【技術分野】
【０００１】
本発明は、蓄熱体を収容させた蓄熱室が２室以上設けられた蓄熱式ガス処理装置における各蓄熱体の上部側を複数のバーナーが面状に配列された面状配列バーナーにより加熱させ、加熱された各蓄熱体の温度を検知するようにした蓄熱式ガス処理装置における蓄熱体の加熱状態検知装置に関するものである。特に、蓄熱体を収容させた蓄熱室が２室以上設けられた蓄熱式ガス処理装置における各蓄熱体の上部側を、複数のバーナーが面状に配列された面状配列バーナーにより加熱させた場合に、蓄熱式ガス処理装置における各蓄熱体の上部側の各位置における温度を適切に検知して、各蓄熱体の上部側の各部分における温度を適切に制御できるようにした点に特徴を有するものである。
【背景技術】
【０００２】
従来から、特許文献１に示されるように、蓄熱体を収容させた蓄熱室を２室以上設け、各蓄熱室の上部側に燃焼装置のバーナーが設けられた燃焼室を連通して設ける一方、各蓄熱室の下部側にそれぞれ切換弁を介して、供給ダクトと排気ダクトとを連通するように設け、送風ファンにより前記の供給ダクトを通して導かれた原料処理気体を、前記の切換弁により一部の蓄熱室における蓄熱体を通して前記の燃焼室内に導き、この燃焼室内において原料処理気体を燃焼処理させる一方、処理された処理済気体を他の蓄熱室に導いて、処理済気体の熱をこの蓄熱室に収容された蓄熱体に蓄熱させた後、この処理済気体を前記の切換弁により排気ダクトから排出させ、前記の切換弁を切り換えて、前記の操作を行う蓄熱室を順々に切り換えるようにした蓄熱式ガス処理装置が知られている。
【０００３】
ここで、このような蓄熱式ガス処理装置において、前記のような操作を行って気体処理を行うようにした場合、それぞれの蓄熱室に収容された蓄熱体の温度にむらが生じることがあり、このように蓄熱室に収容された蓄熱体の温度にむらが生じた状態で処理を続けた場合、蓄熱室に収容された蓄熱体が損傷したり、蓄熱式ガス処理装置における気体処理の効率が低下したりするという問題が生じた。
【０００４】
このため、各蓄熱室の上部側に設けた燃焼室の適当な位置に熱電対を用いてそれぞれの位置における温度を検知することが考えられるが、各蓄熱室における蓄熱体の温度を適切に検知することは困難であると共に、前記のように燃焼室に設けた燃焼装置のバーナーだけで、各蓄熱室に収容された各蓄熱体を一定した温度になるように均一に制御することは困難であった。
【先行技術文献】
【特許文献】
【０００５】
【特許文献１】特許第５３５０９７８号公報（特開２０１１−９４８６２号公報）
【発明の開示】
【発明が解決しようとする課題】
【０００６】
本発明は、蓄熱式ガス処理装置におけるそれぞれの蓄熱室に収容された蓄熱体を加熱させる場合における前記のような問題を解決することを課題とするものである。
【０００７】
特に、前記のような蓄熱式ガス処理装置における各蓄熱室に収容された各蓄熱体を加熱させる場合に、各蓄熱体の各部分における温度を適切に検知して、各蓄熱室に収容された各蓄熱体の上部側の各部分の温度を一定の温度に制御できるようにすることを課題とするものである。
【課題を解決するための手段】
【０００８】
本発明に係る蓄熱式ガス処理装置における蓄熱体の加熱状態検知装置においては、前記のような課題を解決するため、蓄熱体を収容させた蓄熱室が２室以上設けられた蓄熱式ガス処理装置における各蓄熱室の上部側の燃焼室に、複数のバーナーが面状に配列された面状配列バーナーを設け、前記の面状配列バーナーにより各蓄熱室に収容された各蓄熱体を加熱させるにあたり、各蓄熱体の上面部の温度を検知する放射温度計を設けた。
【０００９】
このように、蓄熱式ガス処理装置における各蓄熱室の上部側の燃焼室に設けた面状配列バーナーによって加熱された各蓄熱室に収容された各蓄熱体の上面部における温度をそれぞれ放射温度計によって検知すると、放射温度計によって検知された各蓄熱体の各上面部における温度分布画像の色彩に基づいて、各蓄熱体の上面部全体の温度を適切に検知できるようになる。
【００１０】
そして、前記の蓄熱式ガス処理装置における蓄熱体の加熱状態検知装置において、前記の放射温度計により検知された各蓄熱体の上面部全体の温度に対応させて、面状に配列された各バーナーの燃焼を制御する燃焼制御装置を設けるようにすると、この燃焼制御装置により各バーナーの燃焼を制御させて、各蓄熱体の上面部全体を一定の温度に加熱させることができ、各蓄熱室に収容された各蓄熱体の温度にむらが生じるのを抑制し、蓄熱式ガス処理装置による気体処理時に蓄熱体が損傷したり、蓄熱式ガス処理装置における気体処理の効率が低下したりするのを防止できるようになる。
【発明の効果】
【００１１】
本発明に係る蓄熱式ガス処理装置における蓄熱体の加熱状態検知装置のように、各蓄熱室の上部側の燃焼室に設けた面状配列バーナーによって各蓄熱室に収容された各蓄熱体を加熱し、このように加熱された各蓄熱室における蓄熱体の部分における温度をそれぞれ放射温度計によって検知し、各放射温度計によって検知された各蓄熱体の上面部全体の温度に対応させて、面状に配列された各バーナーの燃焼を燃焼制御装置により制御させると、各蓄熱体の上面部全体を一定の温度に加熱させることができ、各蓄熱室に収容された各蓄熱体の温度にむらが生じるのを抑制して、蓄熱式ガス処理装置による気体処理時に蓄熱体が損傷したり、蓄熱式ガス処理装置における気体処理の効率が低下したりするのを防止できるようになる。
【図面の簡単な説明】
【００１２】
【図１】本発明の実施形態に係る蓄熱式ガス処理装置における蓄熱体の加熱状態検知装置において、各蓄熱室の上部側の燃焼室に設けた面状配列バーナーによって加熱された各蓄熱室における各蓄熱体の上面部における温度を放射温度計によって検知し、これ基づいて、各バーナーの燃焼を燃焼制御装置により制御させる状態を示した上部側部分の概略断面説明図である。
【発明を実施するための最良の形態】
【００１３】
以下、本発明の実施形態に係る蓄熱式ガス処理装置における蓄熱体の加熱状態検知装置を添付図面に基づいて具体的に説明する。なお、本発明に係る蓄熱式ガス処理装置における蓄熱体の加熱状態検知装置は、下記の実施形態に示したものに限定されず、発明の要旨を変更しない範囲において、適宜変更して実施できるものである。
【００１４】
ここで、本発明の実施形態に係る蓄熱式ガス処理装置における蓄熱体の加熱状態検知装置において、図１に示すものにおいては、蓄熱体３１ａを収容させた蓄熱室３１が２室以上（なお、図１では２つの蓄熱室３１が設けられた部分の状態だけを示している。）設けられた蓄熱式ガス処理装置３０における各蓄熱室３１の上部側にこれらを連通するようにして燃焼室３２が設けられている。
【００１５】
そして、この実施形態においては、各蓄熱室３１の上部における前記の燃焼室３２の天井部３２ａに、面状配列バーナーとして、燃料と燃焼用空気とを混合させて燃焼させる複数のバーナー３３を各蓄熱室３１に対応させて面状に配列させるように設けると共に、各バーナー３３による燃料の燃焼を燃焼制御装置３４によって制御するようにしている。
【００１６】
また、この実施形態においては、前記のように複数のバーナー３３が設けられた各蓄熱室３１の上部における燃焼室３２の天井部３２ａにおけるそれぞれの中央部に放射温度計３５を設け、このように設けた各放射温度計３５により前記の各バーナー３３によって加熱された各蓄熱室３１における各蓄熱体３１ａの上面部の温度分布画像の色彩を調べて、各蓄熱室３１における各蓄熱体３１ａの上面部における温度を検知し、このように各放射温度計３５によって検知された各蓄熱室３１における各蓄熱体３１ａの上面部の温度を前記の燃焼制御装置３４に出力するようにしている。
【００１７】
ここで、前記のように各蓄熱室３１の上部側における燃焼室３２の天井部３２ａに設けた各放射温度計３５により、前記のように面状に配列された各バーナー３３によって加熱された各蓄熱室３１における各蓄熱体３１ａの上面部の温度分布画像の色彩を調べ、各蓄熱室３１に収容された各蓄熱体３１ａの部分における温度をそれぞれ検知すると、各放射温度計３５によって各蓄熱体３１ａの上面部全体の温度を適切に検知できるようになる。
【００１８】
そして、前記のように各放射温度計３５により検知された各蓄熱体３１ａの上面部全体の温度に対応させて、面状に配列された各バーナー３３の燃焼を燃焼制御装置３４によって燃焼を制御させると、各蓄熱体３１ａの上面部全体を一定の温度に加熱させることができ、各蓄熱室３１に収容された各蓄熱体３１ａの温度にむらが生じるのを抑制することができ、各蓄熱体３１ａが損傷したり、蓄熱式ガス処理装置３０における気体処理の効率が低下したりするのを防止できるようになる。
【００１９】
なお、これらの加熱状態検知装置は、加熱状態検知装置を用いた面状配列バーナーとその制御装置とも、加熱状態検知装置と制御装置を用いた面状配列バーナーとも言える。
【符号の説明】
【００２０】
３０    ：蓄熱式ガス処理装置
３１    ：蓄熱室
３１ａ  ：蓄熱体
３２    ：燃焼室
３２ａ  ：天井部
３３    ：バーナー
３４    ：燃焼制御装置
３５    ：放射温度計
【図１】
2020008266.tif 000003
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
蓄熱体を収容させた蓄熱室が２室以上設けられた蓄熱式ガス処理装置における各蓄熱室の上部側の燃焼室に、複数のバーナーが面状に配列された面状配列バーナーを設け、前記の面状配列バーナーにより各蓄熱室に収容された各蓄熱体を加熱させるにあたり、各蓄熱体の上面部の温度を検知する放射温度計を設けると共に、前記の放射温度計により検知された各蓄熱体の上面部の温度に対応させて、面状に配列された各バーナーの燃焼を制御する燃焼制御装置を設けたことを特徴とする蓄熱式ガス処理装置における蓄熱体の加熱状態検知装置。
【手続補正２】
【補正対象書類名】明細書
【補正対象項目名】０００８
【補正方法】変更
【補正の内容】
【０００８】
本発明に係る蓄熱式ガス処理装置における蓄熱体の加熱状態検知装置においては、前記のような課題を解決するため、蓄熱体を収容させた蓄熱室が２室以上設けられた蓄熱式ガス処理装置における各蓄熱室の上部側の燃焼室に、複数のバーナーが面状に配列された面状配列バーナーを設け、前記の面状配列バーナーにより各蓄熱室に収容された各蓄熱体を加熱させるにあたり、各蓄熱体の上面部の温度を検知する放射温度計を設けると共に、前記の放射温度計により検知された各蓄熱体の上面部の温度に対応させて、面状に配列された各バーナーの燃焼を制御する燃焼制御装置を設けた。
【手続補正３】
【補正対象書類名】明細書
【補正対象項目名】００１０
【補正方法】変更
【補正の内容】
【００１０】
そして、前記の蓄熱式ガス処理装置における蓄熱体の加熱状態検知装置において、前記のように放射温度計により検知された各蓄熱体の上面部全体の温度に対応させて、面状に配列された各バーナーの燃焼を制御する燃焼制御装置を設けるようにすると、この燃焼制御装置により各バーナーの燃焼を制御させて、各蓄熱体の上面部全体を一定の温度に加熱させることができ、各蓄熱室に収容された各蓄熱体の温度にむらが生じるのを抑制し、蓄熱式ガス処理装置による気体処理時に蓄熱体が損傷したり、蓄熱式ガス処理装置における気体処理の効率が低下したりするのを防止できるようになる。